(57)【要約】【課題】ユーザが複数の医療機器についてその稼働状態の監視を容易にすることができる医療機器監視システムを提供する。【解決手段】医療機器監視システムは、複数の機器側ユニットと、電力線を介して機器側ユニットから受信した医療機器の消費電力値に基づいて医療機器の状態を判断し監視する管理者側装置と、を備える。管理者側装置は、識別情報と医療機器の貸し出し先とを紐付けして記憶する貸出先登録処理部と、各医療機器について稼働状態を判別するための閾値を設定する閾値設定処理部と、機器側ユニットから受信した医療機器の消費電流値及び識別情報に基づいて、各医療機器の稼働状態を判断する状態判断処理部と、医療機器の種類と機種と貸出先と稼働状態とを含む情報を、医療機器の種類毎、機種毎、稼働状態毎、又は貸出先毎に並べて前記モニタに表示する処理を実行可能な表示処理部と、を有する。【選択図】図１
2018088133.tif 000002
【特許請求の範囲】
【請求項１】
監視対象となる複数の医療機器について、各医療機器と商用電源の電力線との間にそれぞれ接続される複数の機器側ユニットと、
前記電力線を介して前記機器側ユニットから受信した前記医療機器の消費電力値に基づいて前記医療機器の状態を判断し監視する管理者側装置と、を備え、
前記機器側ユニットは、
前記医療機器の消費電流を検出する電流検出部と、
前記医療機器に対応した識別情報を記憶するＩＤ記憶部と、
前記管理者側装置に対して前記識別情報及び電気電流検出部で検出した消費電流値を電力線通信方式により前記電力線を介して送信可能なユニット側通信部と、を有し、
前記管理者側装置は、
前記識別情報及び前記検出電流値を電力線通信方式により前記電力線を介して受信可能な管理者側通信部と、
ユーザに対して情報を表示するモニタと、
前記識別情報と前記医療機器の貸し出し先とを紐付けして記憶する貸出先登録処理部と、
各医療機器について稼働状態を判別するための閾値を設定する閾値設定処理部と、
前記機器側ユニットから受信した前記医療機器の消費電流値及び前記識別情報に基づいて、各前記医療機器の稼働状態を判断する状態判断処理部と、
前記医療機器の種類と機種と貸出先と稼働状態とを含む情報を、前記医療機器の種類毎、機種毎、稼働状態毎、又は貸出先毎に並べて前記モニタに表示する処理を実行可能な表示処理部と、を有する、
医療機器監視システム。
【請求項２】
前記管理者側装置は、前記状態判断処理部で判断された稼働状態に基づいて前記医療機器の現在までの稼働状態を蓄積した稼働データを記録する稼働データ記録処理部を更に有し、
前記表示処理部は、前記医療機器の種類毎又は前記機種毎に前記稼働データをまとめて図形として前記モニタに表示する処理を実行可能である、
請求項１に記載の医療機器監視システム。
【請求項３】
前記管理者側装置は、各前記医療機器のうち未稼働の状態が所定以上の期間継続された医療機器を抽出する未稼働機器抽出処理部を更に有し、
前記表示処理部は、前記未稼働機器抽出処理部で抽出された前記医療機器に関する情報を他の前記医療機器に関する情報と区別できる態様で前記モニタに表示する処理を実行可能である、
請求項１又は２に記載の医療機器監視システム。
【請求項４】
前記管理者側装置は、貸し出された各前記医療機器のうち回収が必要な医療機器を抽出する要回収機器抽出処理部を更に有し、
前記表示処理部は、前記要回収機器抽出処理部で抽出された前記医療機器に関する情報を他の前記医療機器に関する情報と区別できる態様で前記モニタに表示する処理を実行可能である、
請求項１から３のいずれか一項に記載の医療機器監視システム。
【請求項５】
監視対象となる複数の医療機器について、各医療機器と商用電源の電力線との間にそれぞれ接続される複数の機器側ユニットと、
前記電力線を介して前記機器側ユニットから受信した前記医療機器の消費電力値に基づいて前記医療機器の状態を判断し監視する管理者側装置と、を備え、
前記機器側ユニットは、
前記医療機器に対応した識別情報を記憶するＩＤ記憶部と、
前記医療機器の消費電流を検出する電流検出部と、
前記管理者側装置に対して前記識別情報及び検出電流を電力線通信方式により前記電力線を介して送信可能なユニット側通信部と、を有し、
前記管理者側装置は、
ユーザに対して情報を表示するモニタと、
前記識別情報及び前記検出電流を電力線通信方式により前記電力線を介して受信可能な管理者側通信部と、
前記医療機器が正常に稼働している状態における消費電流値の遷移の範囲である電流遷移範囲を、前記電流検出部で検出された前記医療機器の消費電力値を機械学習させることによって取得する遷移範囲取得処理部と、
前記電流検出部で検出された電流値が前記電流遷移範囲から外れているか否かによって、前記医療機器が故障しているか否かを判断する故障判断処理部と、
前記表示処理部は、前記医療機器が故障と判断された場合に前記医療機器が故障である旨を前記モニタに表示する処理、又は故障と判断された前記医療機器に関する情報を他の前記医療機器に関する情報と区別できる態様で前記モニタに表示する処理、の少なくとも一方を実行可能である、
医療機器監視システム。
【請求項６】
前記管理者側装置は、
前記電流遷移範囲の上限値及び下限値から所定の範囲内を前記医療機器に故障の予兆が発生したことを検出するための予兆範囲として設定する予兆範囲設定処理部と、
前記電流検出部で検出された電流値が前記予兆範囲内に入った場合に前記医療機器の故障の予兆を検出したと判断する故障予兆判断処理部と、を更に有し、
前記表示処理部は、前記故障予兆判断処理部で故障の予兆が検出されたと判断した場合に、前記医療機器について故障の予兆が検出された旨を前記モニタに表示させる処理、又は故障の予兆が検出された前記医療機器に関する情報を他の前記医療機器に関する情報と区別できる態様で前記モニタに表示させる処理、の少なくとも一方を実行可能である、
請求項５に記載の医療機器監視システム。
【請求項７】
前記機器側ユニットは、ユーザによって操作可能に設けられ、操作された場合に前記管理者側装置に対して前記電力線を介して操作された旨を送信可能な非常ボタンを更に有しており、
前記表示処理部は、前記非常ボタンが操作された場合に、前記非常ボタンが操作された旨を前記モニタに表示させる処理、又は操作された前記非常ボタンに対応する前記医療機器に関する情報を他の前記医療機器に関する情報と区別できる態様で前記モニタに表示させる処理、の少なくともいずれか一方を実行可能である、
請求項１から６のいずれか一項に記載の医療機器監視システム。
【請求項８】
前記非常ボタンは、操作された場合に前記商用電源の電力線から前記医療機器に対する電力供給を遮断する、
請求項７に記載の医療機器監視システム。
【発明の詳細な説明】
【技術分野】
【０００１】
本発明の実施形態は、医療機器管理システムに関する。
【背景技術】
【０００２】
従来、例えば特許文献１のように、病院内において管理部門から各部門へ貸し出された医療機器の稼働状態を監視するシステムがある。この監視システムは、各医療機器の消費電力値を計測してその医療機器の稼働状態を監視する。この構成において、管理者用モニタには、各医療機器の稼働状態が表示される。これにより、ユーザは、各医療機器の稼働状況を把握し、未稼働状態の医療機器を特定して回収して他の部門へ貸し出すことで、少ない数の医療機器でも運用の効率化を図ることができる。
【０００３】
しかしながら、従来構成において、管理者用モニタに表示される表示内容は、特に多数の医療機器を同時に管理する場合、各医療機器の稼働状態を把握し易いものとは言い難かった。また、従来構成では、各医療機器が現在稼働しているか否かを把握することできるものの、その医療機器が現在正常であるか否か、つまりその医療機器の故障状況まで監視できるものではなかった。
【先行技術文献】
【特許文献】
【０００４】
【特許文献１】特開２０１３−６９０６７号公報
【発明の概要】
【発明が解決しようとする課題】
【０００５】
そこで、第１の課題は、ユーザが複数の医療機器についてその稼働状態の監視を容易にすることができる医療機器監視システムを提供することにある。
また、第２の課題は、医療機器の故障状況の監視を容易にすることができる医療機器監視システムを提供することにある。
【課題を解決するための手段】
【０００６】
実施形態による医療機器監視システムは、監視対象となる複数の医療機器について、各医療機器と商用電源の電力線との間にそれぞれ接続される複数の機器側ユニットと、前記電力線を介して前記機器側ユニットから受信した前記医療機器の消費電力値に基づいて前記医療機器の状態を判断し監視する管理者側装置と、を備える。前記機器側ユニットは、前記医療機器の消費電流を検出する電流検出部と、前記医療機器に対応した識別情報を記憶するＩＤ記憶部と、前記管理者側装置に対して前記識別情報及び電気電流検出部で検出した消費電流値を電力線通信方式により前記電力線を介して送信可能なユニット側通信部と、を有する。前記管理者側装置は、前記識別情報及び前記検出電流値を電力線通信方式により前記電力線を介して受信可能な管理者側通信部と、ユーザに対して情報を表示するモニタと、前記識別情報と前記医療機器の貸し出し先とを紐付けして記憶する貸出先登録処理部と、各医療機器について稼働状態を判別するための閾値を設定する閾値設定処理部と、前記機器側ユニットから受信した前記医療機器の消費電流値及び前記識別情報に基づいて、各前記医療機器の稼働状態を判断する状態判断処理部と、前記医療機器の種類と機種と貸出先と稼働状態とを含む情報を、前記医療機器の種類毎、機種毎、稼働状態毎、又は貸出先毎に並べて前記モニタに表示する処理を実行可能な表示処理部と、を有する。
【０００７】
また、実施形態による医療機器監視システムは、監視対象となる複数の医療機器について、各医療機器と商用電源の電力線との間にそれぞれ接続される複数の機器側ユニットと、前記電力線を介して前記機器側ユニットから受信した前記医療機器の消費電力値に基づいて前記医療機器の状態を判断し監視する管理者側装置と、を備える。前記機器側ユニットは、前記医療機器に対応した識別情報を記憶するＩＤ記憶部と、前記医療機器の消費電流を検出する電流検出部と、前記管理者側装置に対して前記識別情報及び検出電流を電力線通信方式により前記電力線を介して送信可能なユニット側通信部と、を有する。前記管理者側装置は、ユーザに対して情報を表示するモニタと、前記識別情報及び前記検出電流を電力線通信方式により前記電力線を介して受信可能な管理者側通信部と、前記医療機器が正常に稼働している状態における消費電流値の遷移の範囲である電流遷移範囲を、前記電流検出部で検出された前記医療機器の消費電力値を機械学習させることによって取得する遷移範囲取得処理部と、前記電流検出部で検出された電流値が前記電流遷移範囲から外れているか否かによって、前記医療機器が故障しているか否かを判断する故障判断処理部と、前記表示処理部は、前記医療機器が故障と判断された場合に前記医療機器が故障である旨を前記モニタに表示する処理、又は故障と判断された前記医療機器に関する情報を他の前記医療機器に関する情報と区別できる態様で前記モニタに表示する処理、の少なくとも一方を実行可能である。
【図面の簡単な説明】
【０００８】
【図１】一実施形態に係る医療機器監視システムの構成の一例を概念的に示す図
【図２】一実施形態に係る医療機器監視システムについて、機器側ユニットの構成を概念的に示す図
【図３】一実施形態に係る医療機器監視システムについて、管理者側装置の構成を概念的に示す図
【図４】一実施形態に係る医療機器監視システムについて、ＩＤ設定処理おける機器側ユニットの識別情報と医療機器との紐付け態様を概念的に示す図
【図５】一実施形態に係る医療機器監視システムについて、貸出先登録処理における医療機器に対する貸出先の登録態様を概念的に示す図
【図６】一実施形態に係る医療機器監視システムについて、医療機器の消費電流値、及びその医療機器について閾値設定処理で設定される閾値の一例を示す図
【図７】一実施形態に係る医療機器監視システムについて、稼働データ記憶処理において記憶される稼働データの一例を示す図
【図８】一実施形態に係る医療機器監視システムについて、管理者側装置のモニタに表示される内容の一例を示す図
【図９】一実施形態に係る医療機器監視システムについて、管理者側装置のモニタに表示される表示内容の一例を示すものであって、各医療機器に関する情報を、医療機器の種類毎、機種毎、稼働状態毎、及び貸出先毎の順に並べて表示した例を示す図
【図１０】一実施形態に係る医療機器監視システムについて、管理者側装置のモニタに表示される表示内容の一例を示すものであって、各医療機器に関する情報を、稼働状態毎、医療機器の種類毎、機種毎、及び貸出先毎の順に並べて表示した例を示す図
【図１１】一実施形態に係る医療機器監視システムについて、管理者側装置のモニタに表示される表示内容の一例を示すものであって、各医療機器に関する情報を、貸出先毎、稼働状態毎、医療機器の種類毎、及び機種毎の順に並べて表示した例を示す図
【図１２】一実施形態に係る医療機器監視システムについて、管理者側装置のモニタに表示される表示内容の一例を示すものであって、医療機器の機種毎に稼働データをまとめて図形として表示した例を示す図
【図１３】一実施形態に係る医療機器監視システムについて、管理者側装置のモニタに表示される表示内容の一例を示すものであって、未稼働機器として抽出された医療機器に関する情報を、他の医療機器に関する情報と区別できる態様で表示した例を示す図
【図１４】一実施形態に係る医療機器監視システムについて、管理者側装置のモニタに表示される表示内容の一例を示すものであって、要回収機器として抽出された医療機器に関する情報を、他の医療機器に関する情報と区別できる態様で表示した例を示す図
【図１５】一実施形態に係る医療機器監視システムについて、管理者側装置のモニタに表示される表示内容の一例を示すものであって、特定の日の稼働時間を降順又は昇順に並べて表示した例を示す図
【図１６】一実施形態に係る医療機器監視システムについて、遷移範囲取得処理におけるクラスタリングの一例を概念的に示す図
【図１７】一実施形態に係る医療機器監視システムについて、電流遷移範囲及び故障予兆範囲の一例を概念的に示す図
【図１８】一実施形態に係る医療機器監視システムについて、医療機器に故障が検知された場合に管理者側装置のモニタに表示される表示内容の一例を示す図
【図１９】一実施形態に係る医療機器監視システムについて、医療機器の故障の予兆が検知された場合に管理者側装置のモニタに表示される表示内容の一例を示す図
【図２０】一実施形態に係る医療機器監視システムについて、端末側ユニットの非常ボタンが操作された場合に管理者側装置のモニタに表示される表示内容の一例を示す図
【発明を実施するための形態】
【０００９】
以下、一実施形態について、図面を参照して説明する。
図１に示す医療機器監視システム１（以下、監視システム１と称する）は、多数の医療機器９０の稼働状態や故障の有無を離れた場所から監視するためのシステムである。監視システム１は、例えば比較的規模の大きい病院等において導入されることを想定している。監視システム１の監視対象となる医療機器９０は、例えば輸液ポンプやシリンジポンプ、超音波管理者側装置等、病院内を移動して使用するものであって、かつ、商用電源を使用するものである。
【００１０】
図１に示すように、医療機器監視システム１は、複数の機器側ユニット１０と、少なくとも１台の管理者側装置２０と、を含んで構成されている。各機器側ユニット１０及び管理者側装置２０は、建物内に張り巡らされた商用電源の電力線８１に接続される。各機器側ユニット１０と管理者側装置２０とは、電力線通信方式によって、電力線８１を介して相互に通信可能に構成されている。
【００１１】
まず、機器側ユニット１０について、図１及び図２を参照して説明する。機器側ユニット１０は、図２に示すように、ケース１１、ユニット側差込口１２、及びユニット側プラグ１３を有している。ケース１１は、例えば金属又は樹脂製の容器で、機器側ユニット１０の外殻を構成する。ユニット側差込口１２は、ケース１１に設けられており、医療機器９０のコンセントプラグ９１が挿抜可能となっている。また、ユニット側プラグ１３は、ケース１１から延び出るように構成されており、コンセント差込口８２に挿抜可能に構成されている。コンセント差込口８２は、例えば建物の壁面や床面に固定された一般的なコンセント差込口であり、電力線８１に接続されている。
【００１２】
この場合、医療機器９０のコンセントプラグ９１やコンセント差込口８２の具体的形状は、国や地域毎に異なる形状に規格化されている。このため、ユニット側差込口１２及びユニット側プラグ１３の形状は、医療機器監視システム１を使用する国や地域に応じて、コンセントプラグ９１やコンセント差込口８２の具体的形状に合わせて適宜変更される。
【００１３】
ユニット側差込口１２とユニット側プラグ１３とは、ケース１１内において、電気的に繋がっている。このため、医療機器９０のコンセントプラグ９１がユニット側差込口１２に差し込まれ、かつ、ユニット側プラグ１３がコンセント差込口８２に差し込まれると、医療機器９０に対して、電力線８１からの電力供給が可能になる。
【００１４】
図２に示すように、機器側ユニット１０は、電流検出部１４、制御部１５、ＩＤ記憶部１６、ユニット側通信部１７、及び電源回路１８を有している。電流検出部１４は、ケース１１内に設けられており、ユニット側差込口１２とユニット側プラグ１３との間を流れる電流を検出することで、機器側ユニット１０に接続された医療機器９０の消費電流値を計測することができる。電流検出部１４は、例えばカレントトランス及びＡＤコンバータで構成することができるが、この構成に限られない。
【００１５】
制御部１５は、例えばＣＰＵや、ＲＯＭ、ＲＡＭ、及び書き換え可能なフラッシュメモリなどの記憶領域を有するマイクロコンピュータを主体に構成されている。制御部１５は、ＩＤ記憶部１６及びユニット側通信部１７の各処理を制御する。ＩＤ記憶部１６は、例えば制御部１５の記憶領域の一部で構成されており、機器側ユニット１０に接続される医療機器９０に対応した識別情報つまりＩＤを記憶する。
【００１６】
ＩＤ記憶部１６に記憶される識別情報は、機器側ユニット１０に接続される医療機器９０に応じて変更されるものであっても良いし、機器側ユニット１０の各固体に固有のものであっても良い。本実施形態の場合、ＩＤ記憶部１６に記憶される識別情報は、機器側ユニット１０の各固体に固有のものである。以下の説明では、機器側ユニット１０の識別情報を、ユニットＩＤとも称する。
【００１７】
管理者側装置２０は、機器側ユニット１０の各個体に固有の識別情報つまりユニットＩＤと、その機器側ユニット１０に接続される医療機器９０の固体とを紐付して、その紐付された機器側ユニット１０の識別情報を記憶する。これにより、管理者側装置２０は、機器側ユニット１０の識別情報を、その機器側ユニット１０に接続された医療機器９０の識別情報とみなすことができるようになる。すなわち、これにより、管理者側装置２０は、機器側ユニット１０の識別情報を基に、その機器側ユニット１０に接続された医療機器９０を識別することができるようになる。
【００１８】
ユニット側通信部１７は、各種情報を、電力線通信方式により、電力線８１を介して管理者側装置２０と通信することができる。この場合、ユニット側通信部１７は、ＩＤ記憶部１６が記憶している識別情報つまりユニットＩＤと、電流検出部１４で検出した医療機器９０の消費電流値とを、電力線通信方式の信号に変換して、電力線８１を介して管理者側装置２０に対して送信する。
【００１９】
電源回路１８は、コンセント差込口８２にユニット側プラグ１３が差し込まれて商用電源の電力線８１に接続された際に、電力線８１からの電力を、電流検出部１４や制御部１５等に駆動電力として供給するためのものである。すなわち、この場合、機器側ユニット１０は、商用電源の電力線８１から電力供給を受けて駆動する。なお、機器側ユニット１０は、電源回路１８に換えて又は電源回路１８と共に、機器側ユニット１０を駆動させるための充電池を有していても良い。
【００２０】
また、機器側ユニット１０は、非常ボタン１９を有している。非常ボタン１９は、例えば図２に示すように、スイッチ１９１を操作するための機械的なボタンである。スイッチ１９１は、例えばユニット側差込口１２とユニット側プラグ１３との間に設けられた機械的スイッチである。スイッチ１９１は、常時閉状態で、かつ、非常ボタン１９が操作された場合に開状態となる。ユーザによって非常ボタン１９が操作されると、スイッチ１９１が開状態となり、これによりユニット側差込口１２とユニット側プラグ１３との間が遮断される。その結果、商用電源の電力線８１から医療機器９０に対する電力供給が遮断される。
【００２１】
また、非常ボタン１９は、制御部１５に接続されている。非常ボタン１９が操作されると、制御部１５は、非常ボタン１９が操作されたことを検出する。そして、制御部１５は、ユニット側通信部１７によって、非常ボタン１９が操作された旨を、ＩＤ記憶部１６に記憶されている識別情報とともに、電力線８１を介して管理者側装置２０へ送信する。
【００２２】
次に、管理者側装置２０について、図３〜図２０も参照して説明する。管理者側装置２０は、図３に示すように、管理者側通信部２１と、管理者側端末３０と、を有している。管理者側通信部２１は、電力線通信方式による通信が可能であると共に、商用電源の電力線８１から電力供給を受けて駆動する。
【００２３】
すなわち、管理者側通信部２１は、コンセント差込口８２に挿抜可能な管理者側プラグ２１１を有している。管理者側プラグ２１１がコンセント差込口８２に差し込まれると、管理者側通信部２１と電力線８１とが接続される。これにより、管理者側通信部２１は、電力線８１から電力供給を受けて駆動可能になると共に、各種情報を、電力線通信方式により電力線８１を介して機器側ユニット１０と通信可能となる。この場合、管理者側通信部２１は、機器側ユニット１０から送信されたユニットＩＤ及び消費電流値の信号を受信し、その信号を、管理者側端末３０が認識可能な形式に変換する。
【００２４】
なお、管理者側通信部２１は、図１及び図３に示すように、管理者側端末３０とは別体に構成されていても良いし、管理者側端末３０に組み込まれていても良い。管理者側通信部２１と管理者側端末３０とが別体に構成されている場合、実施形態の監視システム１が病院内等で使用されるという事情を考慮すると、管理者側通信部２１と管理者側端末３０とは、例えば有線ＬＡＮやＵＳＢケーブル等によって相互に接続されていることが好ましい。しかし、これに限られず、管理者側通信部２１と管理者側端末３０とは、無線ＬＡＮ等によって相互に接続されていても良い。
【００２５】
管理者側端末３０は、例えば一般的なパソコンや、いわゆるスマートフォン等の高機能携帯情報端末等で構成することができる。詳細は図示しないが、管理者側端末３０は、管理者側プラグ２１１と異なるプラグによって電力線８１と接続されて、電力線８１から駆動用の電力の供給を受けても良い。また、管理者側端末３０は、例えば駆動用の充電池を有していても良い。更に、管理者側端末３０は、管理者側プラグ２１１及び管理者側通信部２１を介して電力線８１から駆動用の電力の供給を受けても良い。
【００２６】
管理者側端末３０は、図３に示すように、入出力機器として、入力部３１、モニタ３２、及びスピーカ３３を備えている。入力部３１は、例えばマウスやキーボード、タッチパネル等であり、ユーザからの管理者側端末３０に対する各種入力操作を受け付ける。モニタ３２は、ユーザに対して各種情報を画像として提示すなわち報知する。スピーカ３３は、ユーザに対して各種情報を音声として提示すなわち報知する。この場合、モニタ３２及びスピーカ３３は、報知部として機能する。
【００２７】
管理者側端末３０は、制御部４０、表示処理部４１、ＩＤ設定処理部４２、稼働状態監視処理部４３、及び故障診断処理部４４を有している。制御部４０は、例えば図示しないＣＰＵや、ＲＯＭ、ＲＡＭ、及び書き換え可能なフラッシュメモリ等の記憶領域を有するマイクロコンピュータを主体に構成されており、管理者側端末３０全体の制御を司っている。制御部４０の図示しない記憶領域は、稼働状態監視プログラム及び故障診断プログラムを記録している。
【００２８】
制御部４０は、図示しないＣＰＵにおいて稼働状態監視プログラムを実行することにより、表示処理部４１、及びＩＤ設定処理部４２に加え、稼働状態監視処理部４３を、ソフトウェアによって仮想的に実現する。また、制御部４０は、図示しないＣＰＵにおいて故障診断処理プログラムを実行することにより、表示処理部４１、及びＩＤ設定処理部４２に加え、故障診断処理部４４を、ソフトウェアによって仮想的に実現する。なお、表示処理部４１、ＩＤ設定処理部４２、稼働状態監視処理部４３、及び故障診断処理部４４の全部又は一部を、例えば制御部４０と一体の集積回路としてハードウェア的に実現してもよい。
【００２９】
表示処理部４１は、モニタ３２に対して、各種情報の表示処理を行う。ＩＤ設定処理部４２は、ＩＤ設定処理を実行可能である。ＩＤ設定処理は、図４に示すように、機器側ユニット１０の識別情報であるユニットＩＤを、その機器側ユニット１０に接続されている医療機器９０に紐付けして記憶する処理である。これにより、ユニットＩＤと医療機器９０とは、１対１の関係に紐付けされる。この場合、ユニットＩＤは、例えば図４に示すように、各機器側ユニット１０の各固体に固有の連番に設定されている。
【００３０】
ユニットＩＤと医療機器９０との紐付け処理は、ユーザが入力部３１を用いて医療機器９０の情報を直接入力することで行っても良い。また、ユニットＩＤと医療機器９０との紐付け処理は、例えば機器側ユニット１０と医療機器９０とにＲＦタグやバーコード若しくは二次元コードの情報媒体を設けておき、管理者側端末３０によって両者の情報媒体を読み込むことで行っても良い。
【００３１】
ＩＤ設定処理部４２は、機器側ユニット１０のユニットＩＤと共に、その機器側ユニット１０に接続されている医療機器９０の種類及び機種を記憶する。本実施形態において、医療機器９０の種類とは、各医療機器９０をその使用目的や採用されている機構等に応じて分類したものであり、本実施形態における分類の最も上位の概念である。医療機器９０の種類としては、例えば輸液ポンプやシリンジポンプ、超音波管理者側装置等がある。
【００３２】
また、本実施形態において、医療機器９０の機種とは、上述した種類の下位の概念に属するものであり、例えば医療機器９０の型式等に応じて分類される。本実施形態の場合、輸液ポンプであれば、例えば「ＹＰ−１００」と「ＹＰ−２００」の２機種が存在する。また、シリンジポンプであれば、例えば「ＳＰ−１００」の１機種が存在する。そして、超音波診断装置であれば、例えば「ＳＵ−１００」と「ＳＵ−２００」の２機種が存在する。
【００３３】
以下では、まず、稼働状態監視処理部４３について説明する。稼働状態監視処理部４３は、各医療機器９０の現在及び現在までの稼働状態を監視する処理を行う。稼働状態監視処理部４３は、図３に示すように、貸出先登録処理部４３１、閾値設定処理部４３２、状態判断処理部４３３、稼働データ記憶処理部４３４、未稼働機器抽出処理部４３５、及び要回収機器抽出処理部４３６を含んでいる。
【００３４】
貸出先登録処理部４３１は、貸出先登録処理を実行可能である。貸出先登録処理は、図５に示すように、各医療機器９０に対応するユニットＩＤつまり医療機器９０が接続された機器側ユニット１０のユニットＩＤと、その医療機器９０の貸出先とを紐付けして記憶する処理である。すなわち、貸出先登録処理部４３１は、各医療機器９０の貸出先を登録し記憶する。貸出先の登録は、例えばユーザが入力部３１を用いて医療機器９０の貸出先を直接入力することで行うことができる。なお、貸出先を登録する代わりに、機器側ユニット１０に位置情報検出機能を設けても良い。また、本実施形態の場合、貸出先登録処理部４３１は、図５に示すように、各医療機器９０の貸出先と共に、その医療機器９０の貸し出しを開始した貸出開始日も記憶する。
【００３５】
閾値設定処理部４３２は、各医療機器９０について閾値設定処理を実行する。閾値設定処理は、各医療機器９０について稼働状態を判別するための閾値を設定する処理である。例えば医療機器９０の消費電流値が図６の消費電流値Ｉのような推移を示すものである場合、閾値設定処理部４３２は、第１閾値Ｓ１及び第２閾値Ｓ２の設定を行う。この場合、第１閾値Ｓ１は、暗電流値とスタンバイ電流値との間に設定されている。また、第２閾値Ｓ２は、スタンバイ電流値と稼働電流値との間に設定されている。
【００３６】
この場合、暗電流値とは、医療機器９０の電源がＯＦＦの状態（以下、「電源ＯＦＦ」の状態と称する）における消費電流値を意味する。スタンバイ電流値とは、医療機器９０の電源がＯＮされた状態でかつ医療機器９０が稼働せずに待機している状態（以下、「スタンバイ」の状態と称する）における消費電流値を意味する。そして、稼働電流値とは、医療機器９０の電源がＯＮされた状態でかつ医療機器９０が実際に稼働している状態（以下、「稼働中」の状態と称する）における消費電流値を意味する。
【００３７】
なお、各閾値Ｓ１、Ｓ２の具体的な値は、医療機器９０の種類や機種に応じて適宜変更される。また、各閾値Ｓ１、Ｓ２は、医療機器９０の機種等に応じて予め設定された値とすることができる。更には、閾値設定処理部４３２は、例えばユーザからの入力に基づいて閾値Ｓ１、Ｓ２を設定しても良いし、医療機器９０の電流値を一定期間計測し、その計測結果を機械学習させることで閾値Ｓ１、Ｓ２を設定しても良い。また、閾値Ｓ１、Ｓ２は、ある特定の値に限られず、一定の幅つまり範囲を有していても良い。
【００３８】
状態判断処理部４３３は、各医療機器９０について稼働状態判断処理を実行する。稼働状態判断処理は、機器側ユニット１０から受信した電流値及びユニットＩＤに基づいて、各医療機器９０の稼働状態を判断する処理である。本実施形態において、状態判断処理部４３３は、「電源ＯＦＦ」の状態と「スタンバイ」の状態と「稼働中」の状態と、の３種類の稼働状態を判断する。この場合、状態判断処理部４３３は、機器側ユニット１０から受信したユニットＩＤに基づいて、そのユニットＩＤに紐付けされた医療機器９０に対応する閾値Ｓ１、Ｓ２を選択する。そして、状態判断処理部４３３は、機器側ユニット１０から受信した医療機器９０の消費電流値と、閾値Ｓ１、Ｓ２とを比較する。
【００３９】
医療機器９０の現在の消費電流値Ｉが閾値Ｓ１未満であれば、状態判断処理部４３３は、現在その医療機器９０が「電源ＯＦＦ」の状態であると判断する。医療機器９０の現在の消費電流値Ｉが閾値Ｓ１以上でかつ閾値Ｓ２未満であれば、状態判断処理部４３３は、現在その医療機器９０が「スタンバイ」の状態であると判断する。そして、医療機器９０の現在の消費電流値Ｉが閾値Ｓ２以上であれば、状態判断処理部４３３は、現在その医療機器９０が「稼働中」の状態であると判断する。
【００４０】
また、状態判断処理部４３３は、機器側ユニット１０から電流値及びユニットＩＤを受信していない医療機器９０については、「未接続」の状態であると判断する。この場合、「未接続」の状態とは、医療機器９０に接続された機器側ユニット１０が、電力線８１に接続されていない状態を意味する。
【００４１】
稼働データ記録処理部４３４は、各医療機器９０について稼働データ記憶処理を実行する。稼働データ記憶処理は、状態判断処理部４３３で判断された各医療機器９０の稼働状態に基づいて、各医療機器９０の現在までの稼働状態を経時的に蓄積した稼働データを記録する処理である。
【００４２】
例えば本実施形態において、稼働データ記憶処理部４３４は、図７に示すように、現時点の稼働状態を基に、過去数日間に亘る各医療機器９０の稼働時間を、その医療機器９０の稼働データとして記録する。本実施形態の場合、医療機器９０が「稼働中」となっている時間が、稼働時間として記録される。また、稼働データには、「稼働中」となっている時間だけでなく、例えば「稼働中」となっている日付や時刻、更には「電源ＯＦＦ」や「スタンバイ」、及び「未接続」の各状態となっている時間や日時を含めることができる。また、稼働時間には、「スタンバイ」状態となっている時間を含めても良い。
【００４３】
未稼働機器抽出処理部４３５は、各医療機器９０について未稼働機器抽出処理を実行する。未稼働機器抽出処理は、各医療機器９０のうち未稼働の状態が所定以上の期間継続された医療機器９０を抽出する処理である。本実施形態の場合、未稼働機器抽出処理部４３５は、現時点から遡って過去１日間、「稼働中」の状態にならなかった医療機器９０を抽出する。
【００４４】
例えば図７の例では、ユニットＩＤ「００４」の超音波診断装置、及びユニットＩＤ「００９」の輸液ポンプは、本日及び１日前のいずれにおいても、稼働時間が０となっている。この場合、未稼働機器抽出処理部４３５は、ユニットＩＤ「００４」の超音波診断装置と、ユニットＩＤ「００９」の輸液ポンプと、を未稼働機器として抽出する。
【００４５】
要回収機器抽出処理部４３６は、各医療機器９０について要回収機器抽出処理を実行する。要回収機器抽出処理は、貸し出された各医療機器９０のうち、回収が必要な医療機器９０を抽出する処理である。本実施形態の場合、要回収機器抽出処理部４３６は、例えば貸し出されてから所定回数又は所定期間使用されてメンテナンスが必要な状態となっている医療機器９０を抽出する。なお、以下の説明では、各医療機器９０の１回の貸し出しにおいて、回収することなく連続して使用できる回数又は期間を、使用可能回数又は使用可能期間と称する。
【００４６】
例えば、輸液ポンプの「ＹＰ−１００」について、使用可能期間が４日間に設定されている場合について見る。この場合、現在の日付が「２０ＸＸ年１０月１２日」であるとすると、図５の例では、ユニットＩＤ「００６」の輸液ポンプが、貸出開始日から５日間経過している。そのため、要回収機器抽出処理部４３６は、現在貸し出されている各医療機器９０のうち、貸出開始日から使用可能期間を経過したユニットＩＤ「００６」の輸液ポンプを、要回収機器として抽出する。なお、貸し出されてからメンテナンスを行うまでに使用可能な所定回数や所定期間は、医療機器９０の種類や機種に応じて適宜設定される。
【００４７】
表示処理部４１は、図８に示すように、医療機器９０に関する情報として、各医療機器９０の種類と機種と貸出先と現在の稼働状態とを含む情報を、ユニットＩＤと共に、管理者側端末３０のモニタ３２に表示する処理を実行する。その際、表示処理部４１は、各医療機器９０に関する情報を、医療機器９０の種類毎、機種毎、稼働状態毎、又は貸出先毎に並べてモニタ３２に表示することができる。
【００４８】
図８の例では、モニタ３２には、各医療機器９０に関する情報が、医療機器９０の種類毎に並べて、各医療機器９０の現在の稼働状態と貸出先とが表示されている。この場合、各医療機器９０に関する情報は、種類毎でかつユニットＩＤの順に並ばれている。そのため、同一種類の医療機器９０ついて見ると、稼働状態の異なる医療機器９０がまとまり無く並んで表示されている。例えば輸液ポンプについて見ると、各輸液ポンプに関する情報は、機種「ＹＰ−１００」及び「ＹＰ−２００」を混在させた状態でユニットＩＤの順に並べて表示されている。
【００４９】
そこで、表示処理部４１は、図９に示すように、各医療機器９０に関する情報を、医療機器９０の種類毎、機種毎、稼働状態毎、及び貸出先毎に並べてモニタ３２に表示する処理を実行可能である。すなわち、この場合、各医療機器９０に関する情報は、種類毎、機種毎、稼働状態毎、貸出先毎の順に優先して並べられる。例えば図９の例において輸液ポンプについて見ると、各輸液ポンプに関する情報は、機種「ＹＰ−１００」及び「ＹＰ−２００」毎に各機種のユニットＩＤの順に並べて表示されている。
【００５０】
また、表示処理部４１は、図１０に示すように、各医療機器９０に関する情報を、稼働状態毎に並べてモニタ３２に表示させても良い。この場合、各医療機器９０に関する情報は、稼働状態毎、種類毎、機種毎、貸出先毎の順に優先して並べられる。また、表示処理部４１は、図１１に示すように、各医療機器９０に関する情報を、貸出先毎に並べてモニタ３２に表示させても良い。この場合、各医療機器９０に関する情報は、貸出先毎、稼働状態毎、種類毎、機種毎の順に優先して並べられる。
【００５１】
これら図８〜図１１の処理は、自動で行われても良いし、例えばユーザが入力部３１を用いて、「種類」、「機種」、「稼働状態」、又は「貸出先」を選択することで行われても良い。すなわち、モニタ３２上でユーザが「種類」を選択すると、各医療機器９０の情報は種類毎に表示され、「機種」を選択すると、各医療機器９０の情報は機種毎に表示される。また、モニタ３２上でユーザが「稼働状態」を選択すると、各医療機器９０の情報は稼働状態毎に表示され、「貸出先」を選択すると、各医療機器９０の情報は貸出先毎に表示される。このように、ユーザは、種類毎、機種毎、稼働状態毎、貸出先毎の表示を、任意に切り替えることができる。
【００５２】
表示処理部４１は、図１２に示すように、各医療機器９０の種類毎又は機種毎に、各医療機器９０の稼働データをまとめて図形としてモニタ３２に表示する処理を実行することができる。図１２は、各医療機器９０の現在の稼働データとして、機種毎の稼働率（％）をグラフ図形で示した例である。この場合、稼働率とは、現在貸し出されている同一機種に属する医療機器９０の数に対して、現在稼働中の医療機器９０の割合を示すものである。
【００５３】
表示処理部４１は、図１３に示すように、未稼働機器抽出処理部４３５で抽出された医療機器９０に関する情報を、他の医療機器９０に関する情報と区別できる態様でモニタ３２に表示する処理を実行可能である。例えば図７の例において、未稼働機器抽出処理部４３５は、上述したように、ユニットＩＤ「００４」の超音波診断装置と、ユニットＩＤ「００９」の輸液ポンプと、を未稼働機器として抽出する。
【００５４】
そして、表示処理部４１は、図１３に示すように、ユニットＩＤ「００９」の輸液ポンプ及びユニットＩＤ「００４」の超音波診断装置に関する情報を、例えば背景色を他の医療機器９０のものと変えたり文字を太くしたりして強調し、他の医療機器９０と区別できるような態様でモニタ３２に表示する。また、この場合、表示処理部４１は、未稼働機器として抽出されたユニットＩＤ「００４」の超音波診断装置及びユニットＩＤ「００９」の輸液ポンプに関する情報を並べてモニタ３２に表示させたり、未稼働機器として抽出されたユニットＩＤ「００４」の超音波診断装置及びユニットＩＤ「００９」の輸液ポンプに関する情報のみをモニタ３２に表示させたりしても良い。これらの処理は、自動又は入力部３１に対するユーザの操作に基づいて行われる。
【００５５】
また、表示処理部４１は、要回収機器抽出処理部４３６で抽出された医療機器９０に関する情報を、他の医療機器９０に関する情報と区別できる態様でモニタ３２に表示する処理を実行可能である。例えば図５の例において、要回収機器抽出処理部４３６は、上述したように、ユニットＩＤ「００６」の輸液ポンプを、要回収機器として抽出する。
【００５６】
この場合、表示処理部４１は、図１４に示すように、ユニットＩＤ「００６」の輸液ポンプに関する情報を、例えば背景色を他の医療機器９０のものと変えたり文字を太くしたりして強調して、他の医療機器９０と区別できるような態様でモニタ３２に表示する。この処理は、自動又は入力部３１に対するユーザの操作に基づいて行うことができるが、自動で行われることが好ましい。この場合、モニタ３２に対する表示と共に、スピーカ３３から注意音を発生させて、要回収機器が存在する旨をユーザに報知しても良い。また、この場合、表示処理部４１は、各医療機器９０に関する情報として、その医療機器９０の前回の使用日時や現在の稼働状態を併せて表示させても良い。
【００５７】
また、表示処理部４１は、例えば図１５に示すように、特定の日の稼働時間を降順又は昇順に並べて、各医療機器９０に関する情報を表示させることができる。この場合、特定の日は、ユーザが入力部３１を操作すること等によって任意に設定することができる。
【００５８】
次に、故障診断処理部４４について説明する。故障診断処理部４４は、各医療機器９０について、現在の故障状況を診断すると共に、故障の予兆を検出して将来の故障を予測する処理を行う。故障診断処理部４４、図３に示すように、遷移範囲取得処理部４４１、故障判断処理部４４２、予兆範囲設定処理部４４３、及び故障予兆判断処理部４４４を含んでいる。
【００５９】
遷移範囲取得処理部４４１は、各医療機器９０について遷移範囲取得処理を実行可能である。遷移範囲取得処理は、各医療機器９０が正常に稼働している状態における消費電流値の遷移の範囲である電流遷移範囲を取得する処理である。遷移範囲取得処理部４４１は、機器側ユニット１０の電流検出部１４で検出された各医療機器９０の消費電力値を機械学習させることによって、各医療機器９０の電流遷移範囲を取得する。
【００６０】
遷移範囲取得処理部４４１は、例えば次のようにして、各医療機器９０の正常時における電力遷移範囲を取得する。すなわち、遷移範囲取得処理部４４１は、医療機器９０が始めて使用されてから複数回の使用に亘って、消費電力値のデータを蓄積する。そして、遷移範囲取得処理部４４１は、蓄積された消費電力値のデータを機械学習によってクラスタリングする。本実施形態の場合、図１６に示すように、電源ＯＦＦ状態のクラスＣ１と、スタンバイ状態のクラスＣ２と、稼働状態のクラスＣ３と、の３つのクラスに分類される。なお、クラスタリングの結果は、対象とする医療機器９０の種類や機種によって変わり、４つ以上のクラスに分類される場合もある。
【００６１】
ここで、図１６に示す稼働状態のクラスＣ３の例について見る。この場合、遷移範囲取得処理部４４１は、図１７に示すように、稼働状態のクラスＣ３における消費電力値の累積データＤから、その累積データＤの回帰直線Ｐを求める。そして、遷移範囲取得処理部４４１は、回帰直線Ｐを基準とした所定範囲を、その医療機器９０の稼働状態における表皮電流値の電流遷移範囲Ｈ１として設定する。電流遷移範囲Ｈ１は、正常時の医療機器９０において、稼働状態の消費電力値の累積データＤが所定の割合で収束する範囲である。この場合、回帰直線Ｐから電流遷移範囲Ｈ１の上限値までの幅と、回帰直線Ｐから電流遷移範囲Ｈ１の下限値までの幅とは、同一である場合もあるし、異なる場合もある。また、回帰直線Ｐ及び電流遷移範囲Ｈ１は、各医療機器９０の個体毎に設定しても良いし、同一の機種間で共有しても良い。
【００６２】
故障判断処理部４４２は、故障判断処理を実行可能である。故障判断処理は、電流検出部１４で検出された電流値が、電流遷移範囲Ｈ１から外れているか否かによって、その医療機器９０が現在故障しているか否かを判断する処理である。すなわち、医療機器９０の消費電流値が電流遷移範囲Ｈ１内に収まっている場合、故障判断処理部４４２は、その医療機器９０が正常であると判断する。一方、医療機器９０の消費電流値が電流遷移範囲Ｈ１から外れている場合、故障判断処理部４４２は、その医療機器９０に故障が発生していると判断する。
【００６３】
そして、故障判断処理部４４２によって医療機器９０が故障と判断された場合に、表示処理部４１は、医療機器９０が故障である旨、及びその故障が発生した医療機器９０に対応したユニットＩＤを、モニタ３２に表示させる処理を実行する。
【００６４】
例えばユニットＩＤ「００６」の輸液ポンプが故障と判断された場合、表示処理部４１は、図１８に示すように、医療機器９０に故障が発生した旨を報知する情報として例えば「故障発生！！」の文字を、各医療機器９０に関する情報の文字よりも大きな文字でかつ異なる色で、モニタ３２に表示させる。また、この場合、表示処理部４１は、故障が発生したユニットＩＤ「００６」の輸液ポンプに関する情報を、例えば背景色を他の医療機器９０のものと変えたり文字を太くしたりして強調して、他の医療機器９０と区別できるような態様でモニタ３２に表示する。なお、スピーカ３３から注意音を発生させて、医療機器９０に故障が発生した旨をユーザに報知しても良い。
【００６５】
予兆範囲設定処理部４４３は、予兆範囲設定処理を実行可能である。予兆範囲設定処理は、電流遷移範囲Ｈ１の上限値及び下限値から所定の範囲内を、医療機器９０に故障の予兆が発生したことを検出するための予兆範囲Ｈ２として設定する処理である。予兆範囲Ｈ２は、電流遷移範囲Ｈ１内にあって、電流遷移範囲Ｈ１の上限値及び下限値から例えば１０％程度の範囲内に設定される。予兆範囲Ｈ２は、例えば医療機器９０の消費電流値が予兆範囲Ｈ２に入った場合に、所定期間内に所定の確率でその医療機器９０に故障が起こると予測される範囲である。
【００６６】
この場合、電流遷移範囲Ｈ１の上限値側の予兆範囲Ｈ２の幅と、電流遷移範囲Ｈ１の下限値側の予兆範囲Ｈ２の幅とは、同一である場合もあるし、異なる場合もある。予兆範囲Ｈ２は、機械学習によって取得しても良いし、予めユーザ等によって設定された値でも良い。また、予兆範囲Ｈ２は、各医療機器９０の個体毎に設定しても良いし、同一の機種間で共有しても良い。
【００６７】
故障予兆判断処理部４４４は、故障予兆判断処理を実行可能である。故障予兆判断処理は、電流検出部１４で検出された電流値が予兆範囲Ｈ２内に入った場合に、医療機器９０の故障の予兆を検出したと判断する処理である。そして、故障予兆判断処理部４４４によって医療機器９０の故障の予兆が検出されたと判断された場合、表示処理部４１は、医療機器９０に故障の予兆が検出された旨、及びその故障の予兆が検出された医療機器９０に対応したユニットＩＤを、モニタ３２に表示させる処理を実行する。
【００６８】
例えばユニットＩＤ「００６」の輸液ポンプについて故障の予兆が検出された場合、表示処理部４１は、図１９に示すように、医療機器９０について故障の予兆が検出された旨を報知する情報として例えば「故障予兆！！」の文字を、例えば各医療機器９０に関する情報の文字よりも大きな文字でかつ異なる色でモニタ３２に表示させる。また、この場合、表示処理部４１は、故障の予兆が検出されたユニットＩＤ「００６」の輸液ポンプに関する情報を、例えば背景色を他の医療機器９０のものと変えたり文字を太くしたりして強調して、他の医療機器９０と区別できるような態様でモニタ３２に表示する。なお、スピーカ３３から注意音を発生させて、医療機器９０に故障の予兆が検知された旨をユーザに報知しても良い。
【００６９】
また、表示処理部４１は、非常ボタン１９が操作された場合に、非常ボタン１９が操作された旨、及び操作された非常ボタン１９に対応する医療機器９０に対応したユニットＩＤをモニタ３２に表示させる。
【００７０】
例えばユニットＩＤ「００６」の輸液ポンプが接続された機器側ユニット１０の非常ボタン１９が操作された場合、その機器側ユニット１０の制御部１５は、非常ボタン１９が操作された旨を、ユニットＩＤと共に管理者側装置２０に送信する。これにより、管理者側端末３０は、ユニットＩＤ「００６」の輸液ポンプが接続された機器側ユニット１０の非常ボタン１９が操作された旨、及びそのユニットＩＤ「００６」を受信する。
【００７１】
すると、管理者側端末３０の表示処理部４１は、図２０に示すように、機器側ユニット１０の非常ボタン１９が操作された旨を報知する情報として「非常ボタン操作有り！！」の文字を、例えば各医療機器９０に関する情報の文字よりも大きな文字でかつ異なる色でモニタ３２に表示させる。そして、表示処理部４１は、ユニットＩＤ「００６」の輸液ポンプに関する情報を、例えば背景色を他の医療機器９０のものと変えたり文字を太くしたりして強調して、他の医療機器９０と区別できるような態様でモニタ３２に表示する。なお、スピーカ３３から注意音を発生させて、非常ボタン１９が操作された旨をユーザに報知しても良い。
【００７２】
そして、図２に示す非常ボタン１９が操作されると、スイッチ１９１が開状態となり、これによりユニット側差込口１２とユニット側プラグ１３との間を遮断される。すると、商用電源の電力線８１から医療機器９０に対する電力供給が遮断される。その結果、操作された非常ボタン１９が設けられた機器側ユニット１０に接続された医療機器９０、この場合、ユニットＩＤ「００６」の輸液ポンプの電源が落ちて停止する。
【００７３】
以上説明した実施形態によれば、医療機器監視システム１は、複数の機器側ユニット１０と、管理者側装置２０と、を備えている。各機器側ユニット１０は、監視対象となる複数の医療機器９０について、各医療機器９０と商用電源の電力線８１との間にそれぞれ接続される。管理者側装置２０は、電力線８１を介して各機器側ユニット１０から受信した各医療機器９０の消費電力値に基づいて、各医療機器９０の状態を判断し監視する。
【００７４】
機器側ユニット１０は、電流検出部１４、ＩＤ記憶部１６、及びユニット側通信部１７を有している。電流検出部１４は、医療機器９０の消費電流を検出する。ＩＤ記憶部１６は、医療機器９０に対応した識別情報この場合ユニットＩＤを記憶する。ユニット側通信部１７は、管理者側装置２０に対してユニットＩＤ及び医療機器９０の消費電流値を電力線通信方式により電力線８１を介して送信する。
【００７５】
管理者側装置２０は、管理者側通信部２１、入力部３１、モニタ３２、及び稼働状態監視処理部４３を有している。管理者側通信部２１は、医療機器９０に対応したユニットＩＤ及び医療機器９０の消費電流値を電力線通信方式により前記電力線を介して受信する。入力部３１は、ユーザからの操作を受け付ける。モニタ３２は、ユーザに対して情報を表示する。
【００７６】
稼働状態監視処理部４３は、貸出先登録処理部４３１、閾値設定処理部４３２、状態判断処理部４３３、及び表示処理部４１を有している。貸出先登録処理部４３１は、医療機器９０が接続された機器側ユニット１０のユニットＩＤと、その医療機器９０の貸し出し先と、を紐付けして記憶する処理を行う。閾値設定処理部４３２は、各医療機器９０について稼働状態を判別するための閾値Ｓ１、Ｓ２を設定する処理を行う。状態判断処理部４３３は、機器側ユニット１０から受信した医療機器９０の消費電流値及びその機器側ユニット１０のユニットＩＤに基づいて、各医療機器９０の稼働状態を判断する処理を行う。そして、表示処理部４１は、各医療機器９０についてその種類と機種と貸出先と稼働状態とを含む情報を、医療機器９０の種類毎、機種毎、稼働状態毎、又は貸出先毎に並べてモニタ３２に表示する処理を実行することができる。
【００７７】
これによれば、管理者側装置２０は、電力線通信方式によって既存の電力線８１を介して各医療機器９０が接続された機器側ユニット１０と通信することで、各医療機器９０を監視することができる。そのため、例えばＬＡＮケーブルや同軸ケーブル等の通信配線を敷設するための工事を行うことなく、医療機器監視システム１を導入することができるため、医療機器監視システム１の導入費用を極力低く抑えることができる。この場合、例えば管理者側装置２０と機器側ユニット１０との間で無線通信を行うことも考えられる。しかしながら、無線通信では、病院内には壁等の電波遮蔽物が多数存在する他、無線通信に用いる電波が医療機器の動作に悪影響を与えてしまうおそれがある。一方、本実施形態によれば、壁等の電波遮蔽物や、電波による影響等を考慮する必要がないため、より容易に医療機器監視システム１を導入することができる。
【００７８】
ここで、機器側ユニット１０の識別情報つまりユニットＩＤと、その機器側ユニット１０に接続される医療機器９０の種類や機種とは相関性が無い。そのため、各医療機器９０に関する情報を、例えばユニットＩＤの順に並べて表示すると、その表示内容は一貫性が無いものとなるため、その表示内容はユーザにとって見やすいとは言い難い。そして、貸出中の医療機器９０の数が増えると、その表示内容は更に見難くなる。そのため、この場合、ユーザは、モニタ３２の表示内容を見ても、どの医療機器９０が現在使用されていないか等を一見して把握することが難しい。
【００７９】
一方、本実施形態によれば、モニタ３２には、各医療機器９０の情報が、各医療機器９０の種類毎又は機種毎に並べて表示される。このため、貸出中の医療機器９０が多数存在している場合であっても、ユーザは、目的とする医療機器９０の種類又は機種の集合体を見ることで、目的とする医療機器９０の稼働状態を容易に把握することができる。
【００８０】
稼働状態監視処理部４３は、稼働データ記録処理部４３４を更に有している。稼働データ記録処理部４３４は、状態判断処理部４３３で判断された各医療機器９０の稼働状態に基づいて、各医療機器９０の現在までの稼働状態を蓄積した稼働データを記録する処理を実行する。そして、表示処理部４１は、図１２に示すように、医療機器９０の種類毎又は機種毎に稼働データをまとめて図形としてモニタ３２に表示する処理を実行することができる。これによれば、ユーザは、各医療機器９０の稼働状態を一見して把握し易くなるため、各医療機器９０の貸し出しの管理をより効率的に行うことができる。
【００８１】
稼働状態監視処理部４３は、未稼働機器抽出処理部４３５を更に有している。未稼働機器抽出処理部４３５は、各医療機器９０のうち未稼働の状態が所定以上の期間継続された医療機器９０を抽出する処理を実行することができる。そして、表示処理部４１は、図１３に示すように、未稼働機器抽出処理部４３５で抽出された医療機器９０に関する情報を、他の医療機器９０に関する情報と区別できる態様でモニタ３２に表示する処理を実行することができる。これによれば、ユーザは、どの医療機器９０が現在使用されておらず回収可能であるかを一見して把握し易くなるため、各医療機器９０の貸し出しの管理を更に効率的に行うことができる。
【００８２】
稼働状態監視処理部４３は、要回収機器抽出処理部４３６を更に有している。要回収機器抽出処理部４３６は、貸し出された各医療機器９０のうち回収が必要な医療機器９０を抽出する処理を実行することができる。そして、表示処理部４１は、要回収機器抽出処理部４３６で抽出された医療機器９０に関する情報を、他の医療機器９０に関する情報と区別できる態様でモニタ３２に表示する処理を実行可能である。これによれば、ユーザは、どの医療機器９０を回収すべきかを一見して把握し易くなるため、各医療機器９０の貸し出しの管理を更に効率的に行うことができる。
【００８３】
また、管理者側装置２０は、管理者側通信部２１、入力部３１、モニタ３２の他、故障診断処理部４４を有している。故障診断処理部４４は、遷移範囲取得処理部４４１、及び故障判断処理部４４２を有している。遷移範囲取得処理部４４１は、医療機器９０が正常に稼働している状態における消費電流値の遷移の範囲である電流遷移範囲Ｈ１を、電流検出部１４で検出された医療機器９０の消費電力値を機械学習させることによって取得する処理を実行することができる。故障判断処理部４４は、電流検出部１４で検出された消費電流値が電流遷移範囲Ｈ１から外れているか否かによって、医療機器９０が故障しているか否かを判断する処理を実行することができる。
【００８４】
そして、表示処理部４１は、医療機器９０が故障と判断された場合に、医療機器９０が故障である旨をモニタ３２に表示する処理、又は故障と判断された医療機器９０に関する情報を他の医療機器９０に関する情報と区別できる態様でモニタ３２に表示する処理、の少なくとも一方を実行することができる。本実施形態の場合、表示処理部４１は、医療機器９０が故障である旨をモニタ３２に表示する処理、及び故障と判断された医療機器９０に関する情報を他の医療機器９０に関する情報と区別できる態様でモニタ３２に表示する処理、の両方を実行することができる。
【００８５】
これによれば、ユーザは、医療機器９０から離れた場所に設置された管理者側装置２０を監視することで、各医療機器９０の故障を把握することができる。すなわち、ユーザは、各医療機器９０の実際の使用現場に行くことなく、各医療機器９０の故障を容易に監視することができる。そのため、ユーザは、医療機器９０に故障が生じた場合に素早い対応が可能となり、その結果、各医療機器９０の管理をより安全に効率的に行うことができる。
【００８６】
故障診断処理部４４は、予兆範囲設定処理部４４３、及び故障予兆判断処理部４４４を更に有している。予兆範囲設定処理部４４３は、電流遷移範囲Ｈ１の上限値及び下限値から所定の範囲内を、医療機器９０に故障の予兆が発生したことを検出するための予兆範囲Ｈ２として設定する処理を実行することができる。故障予兆判断処理部４４４は、電流検出部１４で検出された消費電流値が予兆範囲Ｈ２内に入った場合に医療機器９０の故障の予兆を検出したと判断する処理を実行することができる。
【００８７】
そして、表示処理部４１は、故障予兆判断処理部４４４で故障の予兆が検出されたと判断した場合に、医療機器９０について故障の予兆が検出された旨をモニタ３２に表示させる処理、又は故障の予兆が検出された医療機器９０に関する情報を他の医療機器９０に関する情報と区別できる態様でモニタ３２に表示させる処理、の少なくとも一方を実行することができる。本実施形態の場合、表示処理部４１は、医療機器９０について故障の予兆が検出された旨をモニタ３２に表示させる処理、及び故障の予兆が検出された医療機器９０に関する情報を他の医療機器９０に関する情報と区別できる態様でモニタ３２に表示させる処理、の両方を実行することができる。
【００８８】
これによれば、ユーザは、各医療機器９０に実際に故障が生じる前に、その故障を予測することができる。そのため、ユーザは、故障の予兆が検出された医療機器９０の使用を停止したりメンテナンスを行ったりすることで、故障が生じる前の素早い対応が可能となる。この結果、各医療機器９０の管理を更に安全に効率的に行うことができる。
【００８９】
機器側ユニット１０は、非常ボタン１９を更に有している。非常ボタン１９は、ユーザによって操作可能に設けられている。非常ボタン１９は、ユーザによって操作された場合に、管理者側装置２０に対して電力線８１を介して操作された旨を送信することができる。そして、表示処理部４１は、非常ボタン１９が操作された場合に、非常ボタン１９が操作された旨をモニタ３２に表示させる処理、又は操作された非常ボタン１９に対応する医療機器９０に関する情報を他の医療機器９０に関する情報と区別できる態様でモニタ３２に表示させる処理、の少なくともいずれか一方を実行することができる。
【００９０】
本実施形態の場合、表示処理部４１は、図２０に示すように、非常ボタン１９が操作された場合に、非常ボタン１９が操作された旨をモニタ３２に表示させる処理、及び操作された非常ボタン１９に対応する医療機器９０に関する情報を他の医療機器９０に関する情報と区別できる態様でモニタ３２に表示させる処理、の両方を実行することができる。
【００９１】
これによれば、例えば医療機器９０を使用する患者に緊急事態が生じた場合に、患者やその周囲の人が非常ボタン１９を操作することで、その患者の非常事態等を医療機器９０の管理者に知らせることができる。その結果、患者の安全性も向上させることができる。これは、例えば近くにナースコールが設置されていない場所で医療機器９０が使用されている場合等においてより有効である。
【００９２】
非常ボタン１９は、操作された場合に商用電源の電力線８１から医療機器９０に対する電力供給を遮断する。これによれば、医療機器９０に異常が発生した場合に、患者やその周囲の人が非常ボタン１９を操作することで、医療機器９０の動作を停止させることができる。これにより、その結果、患者の安全性を更に向上させることができる。
【００９３】
なお、本発明の実施形態は、上記し且つ図面に記載した一実施形態に限定されるものではなく、発明の要旨を逸脱しない範囲において適宜変更することができる。
【符号の説明】
【００９４】
図面中、１は医療機器監視システム、１０は機器側ユニット、１４は電流検出部、１６はＩＤ記憶部、１７はユニット側通信部、１８は非常ボタン、２０は管理者側装置、３２はモニタ、４１は表示処理部、４３１は貸出登録処理部、４３２は閾値設定処理部、４３３は状態判断処理部、４３４は稼働データ記憶処理部、４３５は未稼働機器抽出処理部、４３６は要回収機器抽出処理部、４４１は遷移範囲取得処理部、４４２は故障判断処理部、４４３は予兆範囲設定処理部、４４４は故障予兆判断処理部を示す。
【図１】
2018088133.tif 000003
【図２】
2018088133.tif 000004
【図３】
2018088133.tif 000005
【図４】
2018088133.tif 000006
【図５】
2018088133.tif 000007
【図６】
2018088133.tif 000008
【図７】
2018088133.tif 000009
【図８】
2018088133.tif 000010
【図９】
2018088133.tif 000011
【図１０】
2018088133.tif 000012
【図１１】
2018088133.tif 000013
【図１２】
2018088133.tif 000014
【図１３】
2018088133.tif 000015
【図１４】
2018088133.tif 000016
【図１５】
2018088133.tif 000017
【図１６】
2018088133.tif 000018
【図１７】
2018088133.tif 000019
【図１８】
2018088133.tif 000020
【図１９】
2018088133.tif 000021
【図２０】
2018088133.tif 000022
【手続補正書】
【提出日】平成29年9月5日(2017.9.5)
【手続補正１】
【補正対象書類名】特許請求の範囲
【補正対象項目名】請求項１
【補正方法】変更
【補正の内容】
【請求項１】
監視対象となる複数の医療機器について、各医療機器と商用電源の電力線との間にそれぞれ接続される複数の機器側ユニットと、
前記電力線を介して前記機器側ユニットから受信した前記医療機器の消費電力値に基づいて前記医療機器の状態を判断し監視する管理者側装置と、を備え、
前記機器側ユニットは、
前記医療機器の消費電流を検出する電流検出部と、
前記医療機器に対応した識別情報を記憶するＩＤ記憶部と、
前記管理者側装置に対して前記識別情報及び電気電流検出部で検出した消費電流値を電力線通信方式により前記電力線を介して送信可能なユニット側通信部と、を有し、
前記管理者側装置は、
前記識別情報及び前記消費電流値を電力線通信方式により前記電力線を介して受信可能な管理者側通信部と、
ユーザに対して情報を表示するモニタと、
前記識別情報と前記医療機器の貸し出し先とを紐付けして記憶する貸出先登録処理部と、
各医療機器について稼働状態を判別するための閾値を設定する閾値設定処理部と、
前記機器側ユニットから受信した前記医療機器の消費電流値及び前記識別情報に基づいて、各前記医療機器の稼働状態を判断する状態判断処理部と、
前記医療機器の種類と機種と貸出先と稼働状態とを含む情報を、前記医療機器の種類毎、機種毎、稼働状態毎、又は貸出先毎に並べて前記モニタに表示する処理を実行可能な表示処理部と、を有する、
医療機器監視システム。
【手続補正２】
【補正対象書類名】特許請求の範囲
【補正対象項目名】請求項５
【補正方法】変更
【補正の内容】
【請求項５】
監視対象となる複数の医療機器について、各医療機器と商用電源の電力線との間にそれぞれ接続される複数の機器側ユニットと、
前記電力線を介して前記機器側ユニットから受信した前記医療機器の消費電力値に基づいて前記医療機器の状態を判断し監視する管理者側装置と、を備え、
前記機器側ユニットは、
前記医療機器に対応した識別情報を記憶するＩＤ記憶部と、
前記医療機器の消費電流を検出する電流検出部と、
前記管理者側装置に対して前記識別情報及び検出電流を電力線通信方式により前記電力線を介して送信可能なユニット側通信部と、を有し、
前記管理者側装置は、
ユーザに対して情報を表示するモニタと、
前記識別情報及び前記検出電流を電力線通信方式により前記電力線を介して受信可能な管理者側通信部と、
前記医療機器が正常に稼働している状態における消費電流値の遷移の範囲である電流遷移範囲を、前記電流検出部で検出された前記医療機器の消費電力値を機械学習させることによって取得する遷移範囲取得処理部と、
前記電流検出部で検出された電流値が前記電流遷移範囲から外れているか否かによって、前記医療機器が故障しているか否かを判断する故障判断処理部と、
前記医療機器が故障と判断された場合に前記医療機器が故障である旨を前記モニタに表示する処理、又は故障と判断された前記医療機器に関する情報を他の前記医療機器に関する情報と区別できる態様で前記モニタに表示する処理、の少なくとも一方を実行可能である表示処理部と、を含む、
医療機器監視システム。
【手続補正３】
【補正対象書類名】明細書
【補正対象項目名】０００６
【補正方法】変更
【補正の内容】
【０００６】
実施形態による医療機器監視システムは、監視対象となる複数の医療機器について、各医療機器と商用電源の電力線との間にそれぞれ接続される複数の機器側ユニットと、前記電力線を介して前記機器側ユニットから受信した前記医療機器の消費電力値に基づいて前記医療機器の状態を判断し監視する管理者側装置と、を備える。前記機器側ユニットは、前記医療機器の消費電流を検出する電流検出部と、前記医療機器に対応した識別情報を記憶するＩＤ記憶部と、前記管理者側装置に対して前記識別情報及び電気電流検出部で検出した消費電流値を電力線通信方式により前記電力線を介して送信可能なユニット側通信部と、を有する。前記管理者側装置は、前記識別情報及び前記消費電流値を電力線通信方式により前記電力線を介して受信可能な管理者側通信部と、ユーザに対して情報を表示するモニタと、前記識別情報と前記医療機器の貸し出し先とを紐付けして記憶する貸出先登録処理部と、各医療機器について稼働状態を判別するための閾値を設定する閾値設定処理部と、前記機器側ユニットから受信した前記医療機器の消費電流値及び前記識別情報に基づいて、各前記医療機器の稼働状態を判断する状態判断処理部と、前記医療機器の種類と機種と貸出先と稼働状態とを含む情報を、前記医療機器の種類毎、機種毎、稼働状態毎、又は貸出先毎に並べて前記モニタに表示する処理を実行可能な表示処理部と、を有する。
【手続補正４】
【補正対象書類名】明細書
【補正対象項目名】０００７
【補正方法】変更
【補正の内容】
【０００７】
また、実施形態による医療機器監視システムは、監視対象となる複数の医療機器について、各医療機器と商用電源の電力線との間にそれぞれ接続される複数の機器側ユニットと、前記電力線を介して前記機器側ユニットから受信した前記医療機器の消費電力値に基づいて前記医療機器の状態を判断し監視する管理者側装置と、を備える。前記機器側ユニットは、前記医療機器に対応した識別情報を記憶するＩＤ記憶部と、前記医療機器の消費電流を検出する電流検出部と、前記管理者側装置に対して前記識別情報及び検出電流を電力線通信方式により前記電力線を介して送信可能なユニット側通信部と、を有する。前記管理者側装置は、ユーザに対して情報を表示するモニタと、前記識別情報及び前記検出電流を電力線通信方式により前記電力線を介して受信可能な管理者側通信部と、前記医療機器が正常に稼働している状態における消費電流値の遷移の範囲である電流遷移範囲を、前記電流検出部で検出された前記医療機器の消費電力値を機械学習させることによって取得する遷移範囲取得処理部と、前記電流検出部で検出された電流値が前記電流遷移範囲から外れているか否かによって、前記医療機器が故障しているか否かを判断する故障判断処理部と、前記医療機器が故障と判断された場合に前記医療機器が故障である旨を前記モニタに表示する処理、又は故障と判断された前記医療機器に関する情報を他の前記医療機器に関する情報と区別できる態様で前記モニタに表示する処理、の少なくとも一方を実行可能である表示処理部と、を含む。